(57)【要約】【課題】簡単且つコンパクトな構成で、記録媒体の収納機能および排出機能を兼ね備えることができ、記録媒体の再利用を簡単に行なうことができる記録媒体取扱装置の提供を目的としている。【解決手段】本発明の記録媒体取扱装置１は、記録媒体Ｃが搬出入される搬出入口１０と、複数の記録媒体を積層状態で収納可能な収納部３と、収納部３と搬出入口１０との間で記録媒体Ｃを往復搬送する搬送手段４と、収納部３内に収納された記録媒体Ｃを、収納部３内で、搬送手段４による搬送経路に対して突没させることにより、搬送手段４によって搬送される記録媒体Ｃを１枚ずつ収納部３に積層収納するとともに、収納部３に収納された記録媒体Ｃを搬送手段４によって１枚ずつ収納部３から繰り出させる個別収納・繰り出し手段４０，５３とを備えている。【選択図】  図１
2004355407.tif 000002
【特許請求の範囲】
【請求項１】
所定の情報が記録される記録媒体が搬出入される搬出入口  と、
複数の記録媒体を積層状態で収納可能な収納部と、
前記収納部と前記搬出入口との間で記録媒体を往復搬送する搬送手段と、
前記収納部内に収納された記録媒体を、前記収納部内で、前記搬送手段による搬送経路に対して突没させることにより、前記搬送手段によって搬送される記録媒体を１枚ずつ前記収納部に積層収納するとともに、前記収納部に収納された記録媒体を前記搬送手段によって１枚ずつ前記収納部から繰り出させる個別収納・繰り出し手段と、
を備えていることを特徴とする記録媒体取扱装置。
【請求項２】
前記個別収納・繰り出し手段は、
前記収納部内に収納された記録媒体を付勢して前記搬送手段に対して押圧する押圧手段と、
前記収納部内に収納された記録媒体を前記押圧手段による押圧力に抗して前記収納部内に押し込むことにより、前記収納部内に収納された記録媒体を前記搬送手段から離間させる押し込み手段と、
を備えていることを特徴とする請求項１に記載の記録媒体取扱装置。
【請求項３】
前記収納部は、記録媒体が繰り出される側に位置する端部に、前記搬送手段によって前記収納部から繰り出される記録媒体以外の記録媒体の繰り出しを規制する規制部を備えていることを特徴とする請求項２に記載の記録媒体取扱装置。
【請求項４】
前記押し込み手段は、前記搬送手段による搬送方向における前記収納部の中央よりも前記搬出入口側に位置する作用点で、記録媒体に対して押し込み力を作用させることを特徴とする請求項３に記載の記録媒体取扱装置。
【請求項５】
前記搬送手段による搬送経路中で前記記録媒体に対する情報の読み書きを行なう記録媒体読み書き装置を更に備えていることを特徴とする請求項１から請求項４のいずれか１項に記載の記録媒体取扱装置。
【発明の詳細な説明】
【０００１】
【発明の属する技術分野】
本発明は、所定の情報が記録される記録媒体を複数枚収納できるとともに、収納された記録媒体を１枚ずつ吐き出すことができる新規な記録媒体取扱装置に関する。
【０００２】
【従来の技術】
従来、ＩＣカード等の記録媒体を収納する収納装置は、種々の分野で利用されている。例えば、パチンコ機の台間に設置される球貸装置においては、使用済みのプリペイド式カードを回収して収納するカード収納装置が設けられている（例えば特許文献１参照）
使用済みのカードは、一般に、廃棄処分されるが、近年の資源有効利用の流れに応じるように、カードの再利用化が図られている。
【０００３】
【特許文献１】
特開２００２−１４３５３９号公報。
【０００４】
【発明が解決しようとする課題】
しかしながら、従来のカード収納装置は、搬入されてきたカードをカード収納部まで送り込む機構などが複雑であるため、小型化を十分に図ることができなかった。そのため、各種装置にコンパクトに組み込むことが難しかった。
【０００５】
また、従来のカード収納装置は、カードの再利用のためにカードを単に収納するだけであり、収納されたカードの回収は、専ら、作業者の手に委ねられていた。すなわち、従来のカード収納装置は、カードを収納するだけで、収納したカードを再利用のために排出するといった機能を有していないため、カード収納装置に収納されたカードを市場に再供給する場合には、別個の供給装置が必要であった。
【０００６】
本発明は前記事情に着目してなされたものであり、その目的とするところは、簡単且つコンパクトな構成で、記録媒体の収納機能および排出機能を兼ね備えることができ、記録媒体の再利用を簡単に行なうことができる記録媒体取扱装置を提供することにある。
【０００７】
【課題を解決するための手段】
前記課題を解決するため、請求項１に記載された発明は、所定の情報が記録される記録媒体が搬出入される搬出入口と、複数の記録媒体を積層状態で収納可能な収納部と、前記収納部と前記搬出入口との間で記録媒体を往復搬送する搬送手段と、前記収納部内に収納された記録媒体を、前記収納部内で、前記搬送手段による搬送経路に対して突没させることにより、前記搬送手段によって搬送される記録媒体を１枚ずつ前記収納部に積層収納するとともに、前記収納部に収納された記録媒体を前記搬送手段によって１枚ずつ前記収納部から繰り出させる個別収納・繰り出し手段とを備えていることを特徴とする記録媒体取扱装置。
【０００８】
この請求項１に記載された発明によれば、前記収納部内に収納された記録媒体を前記収納部内で前記搬送手段による搬送経路に対して突没させるだけで、記録媒体を前記収納部に複数収納することができるとともに、前記収納部から記録媒体を１枚ずつ繰り出すことができるため、簡単且つコンパクトな構成で、記録媒体の収納機能および排出機能を兼ね備えることができ、記録媒体の再利用を簡単に行なうことができる。
【０００９】
また、請求項２に記載された発明は、請求項１に記載された発明において、前記個別収納・繰り出し手段は、前記収納部内に収納された記録媒体を常時付勢して前記搬送手段に対して押圧する押圧手段と、前記収納部内に収納された記録媒体を前記押圧手段による押圧力に抗して前記収納部内に押し込むことにより、前記収納部内に収納された記録媒体を前記搬送手段から離間させる押し込み手段とを備えていることを特徴とする。
【００１０】
この請求項２に記載された発明によれば、請求項１に記載された発明と同様の作用効果を得ることができるとともに、記録媒体を前記収納部内に押し込む１方向の動作だけで、前記収納部に対する記録媒体の収納・排出を行なうことができるため、構成を更にコンパクトにすることができるとともに、記録媒体の収納・排出を効率的に行なうことが可能になる。
【００１１】
また、請求項３に記載された発明は、請求項２に記載された発明において、前記収納部は、記録媒体が繰り出される側に位置する端部に、前記搬送手段によって前記収納部から繰り出される記録媒体以外の記録媒体の繰り出しを規制する規制部を備えていることを特徴とする。
【００１２】
この請求項３に記載された発明によれば、請求項２に記載された発明と同様の作用効果を得ることができるとともに、収納部から排出すべき１枚目の記録媒体のみが搬送手段によって搬送され、それ以外の記録媒体の搬送が前記規制部によって阻止されるため、１枚目の記録媒体とともに２枚目以降の記録媒体が誤って収納部から繰り出されることが防止される。すなわち、記録媒体を収納部から確実に１枚ずつ繰り出すことができる。
【００１３】
また、請求項４に記載された発明は、請求項３に記載された発明において、前記押し込み手段は、前記搬送手段による搬送方向における前記収納部の中央よりも前記搬出入口側に位置する作用点で、記録媒体に対して押し込み力を作用させることを特徴とする。
【００１４】
この請求項４に記載された発明によれば、請求項３に記載された発明と同様の作用効果を得ることができるとともに、前記押し込み手段による押し込み時に、前記収納部内にある記録媒体の搬出入口側の部位が他の部位に比べて大きく押し込まれるため、前記規制部による記録媒体の繰り出し規制を確実ならしめることができる。
【００１５】
また、請求項５に記載された発明は、請求項１から請求項４のいずれか１項に記載された発明において、前記搬送手段による搬送経路中で前記記録媒体に対する情報の読み書きを行なう記録媒体読み書き装置を更に備えていることを特徴とする。
【００１６】
この請求項５に記載された発明によれば、請求項１から請求項４のいずれか１項に記載された発明と同様の作用効果を得ることができるとともに、記録媒体の収納・排出だけでなく、記録媒体に対する情報の読み書きをも行なうことがきる。また、記録媒体読み書き装置が前記搬送手段による搬送経路中に設けられているため、コンパクトな構造で、記録媒体読み書き部と記録媒体収納部とを一体化させることができる。
【００１７】
【発明の実施の形態】
以下、図面を参照しながら、本発明の一実施形態について説明する。
【００１８】
図１には、本発明の一実施形態に係る記録媒体取扱装置１が示されている。この記録媒体取扱装置１は、ＩＣカード等の記録媒体Ｃが搬出入される搬出入口１０を有する本体ケース２と、本体ケース２内に装着され且つ複数の記録媒体Ｃを積層状態で収納可能な収納部としてのスタッカ３とを備えている。
【００１９】
本体ケース２は、記録媒体Ｃをその長手方向に沿って搬送する搬送手段を有している。この搬送手段は、本体ケース２の長手方向に沿って延びる一対の無端状の搬送ベルト（歯付きベルト）４，４から成る。これらの搬送ベルト４，４は、協働して記録媒体Ｃの搬送経路を形成するとともに、本体ケース２の幅方向に離間して平行に延びており、本体ケース２の長手方向に沿って配置された複数のローラ（歯車）６ａ，６ｂに掛渡されている（噛み合わされている）。
【００２０】
具体的には、各搬送ベルト４は、１つの駆動ローラ６ａと、本体ケース２の長手方向に沿って互いに離間する複数の従動ローラ６ｂとに掛渡されており、駆動ローラ６ａの回転に伴って回転駆動される。この場合、本体ケース２の幅方向で隣り合う各搬送ベルト４，４の従動ローラ６ｂ，６ｂ同士は、本体ケース２の幅方向に延びる共通の固定シャフト８に回転可能に支持されている。すなわち、本実施形態では、本体ケース２の幅方向に沿って延び且つ本体ケース２の長手方向に沿って互いに離間する複数の固定シャフト８が本体ケース２に固定されており、各固定シャフト８には、対応する別個の搬送ベルト４をそれぞれ支持する一対の従動ローラ６ｂ，６ｂが互いに離間して回転可能に支持されている。
【００２１】
一方、本体ケース２の幅方向で隣り合う各搬送ベルト４，４の駆動ローラ６ａ，６ａ同士は、本体ケース２の幅方向に延びる共通の回転シャフト１１に固定されている。回転シャフト１１は本体ケース２に回転可能に支持されており、回転シャフト１１の一端は、互いに噛み合う複数の歯車から成るギヤ列１２を介して、搬送用モータＭ１の回転軸に結合されている。したがって、搬送用モータＭ１を駆動させると、搬送用モータＭ１の回転軸が回転し、その回転力は、ギヤ列１２を介して回転シャフト１１に伝達されて駆動ローラ６ａを回転させ、駆動ローラ６ａに掛渡された（噛合された）搬送ベルト４を回転させる。
【００２２】
また、本体ケース２には、前記搬送手段の下側に、搬送ベルト４によって形成される搬送経路に沿って、スタッカ３が収納されるスタッカ収納空間Ｓと、記録媒体処理部としての非接触型ＩＣ用アンテナ等の記録媒体読み書き装置（以下、リーダライタと称する）１４とが並設されている。この場合、搬出入口１０側に位置するリーダライタ１４は、記録媒体Ｃ上の記録情報を読み取るとともに、記録媒体Ｃ上に所定の情報を記録する（書き込む）ことができる。また、リーダライタ１４は、必要に応じて、読み取った情報を外部装置に送信することができ、あるいは、記録媒体Ｃに記録すべき情報を外部装置から受信できるようになっていても良い。
【００２３】
なお、リーダライタ１４には、前記搬送手段の駆動ローラ６ａと対向する位置に、送りローラ１８が設けられており、この送りローラ１８は、搬送ベルト４と協働して記録媒体Ｃを本体ケース２に対して搬出入するとともに、搬送ベルト４と摩擦接触して搬送される記録媒体Ｃを搬送ベルト４との間で挟持して案内する。
【００２４】
また、本体ケース２には、本体ケース２に対する記録媒体Ｃの搬入・搬出を検出する第１のセンサＳ１と、リーダライタ１４による記録媒体Ｃの読み取り・書き込み位置を検出する第２のセンサＳ２と、スタッカ３内における記録媒体Ｃの有無を検出する第３のセンサＳ３とが設けられている。本実施形態において、これらのセンサＳ１，Ｓ２，Ｓ３は、例えば反射型の光センサであり、本体ケース２に支持された基板（図示せず）上に実装されている。
【００２５】
スタッカ収納空間Ｓ内に収納されるスタッカ３は、複数の記録媒体Ｃを上下に積層して収容可能な収納ケース３０を有している。この収納ケース３０は、回動軸３２を介して本体ケース２に回動可能に取り付けられており、スタッカ収納空間Ｓ内にセットされる格納位置（図２の（ｂ）に実線で示される位置）と、スタッカ収納空間Ｓから離脱される離脱位置（例えば図２の（ｂ）に二点鎖線で示される位置）との間で回動できる。
【００２６】
また、収納ケース３０内には、記録媒体Ｃをその下側から支持する複数の支持ローラ３４が設けられている。これらの支持ローラ３４は、上下動可能で且つ上方に向けて常時付勢されるシャフト３６に回転可能に取り付けられている。具体的には、収納ケース３０には、収納ケース３０の幅方向に沿って延び且つ収納ケース３０の長手方向に沿って互いに離間する複数の可動シャフト３６が取り付けられており、各シャフト３６には、一対の支持ローラ３４，３４が互いに離間して回転可能に支持されている。また、各シャフト３６は、収納ケース３０の側面３０ａに形成された対応するスリット（収納ケース３０の深さ方向に延びる長穴）３８を貫通して収納ケース３０の外部に突出しており、この突出するシャフト３６の端部と収納ケース３０の側面３０ａとの間には、シャフト３６を上方に向けて常時付勢するトーションバネ（押圧手段）４０が介挿されている。
【００２７】
したがって、このような構成では、スタッカ３をスタッカ収納空間Ｓから離脱させる（スタッカ２を図２の（ｂ）に二点鎖線で示される離脱位置に位置させる）と、収納ケース３０に記録媒体Ｃを収納することができ、あるいは、収納ケース３０から記録媒体Ｃを取り出すことができる。この場合、支持ローラ３４を支持するシャフト３６は、トーションバネ４０の付勢力に抗してスリット３８に沿って下方に移動できるため、収納ケース３０の支持ローラ３４上に記録媒体Ｃを載置して下方に押し込めば、記録媒体Ｃを支持ローラ３４上に順次に積層して配置することができる。
【００２８】
なお、トーションバネ４０の付勢力によって上方に付勢される支持ローラ３４上の記録媒体Ｃが収納ケース３０から脱落することを防止するため、収納ケース３０の側面の上縁部には、収納ケース３０内に収納された記録媒体Ｃを上側から押え付けて支持する支持体４２が形成されている。したがって、収納ケース３０内の記録媒体Ｃは、結局、トーションバネ４０の付勢力によって支持体４２に対して押し付けられる状態で、支持ローラ３４と支持体４２との間で挟持されることになる。
【００２９】
また、上記構成において、スタッカ３がスタッカ収納空間Ｓ内の格納位置にセットされると、図２の（ｂ）に実線で示されるように、支持体４２は、記録媒体Ｃの搬送を阻害しないように、搬送ベルト４の搬送面よりも上側に位置されるとともに、各支持ローラ３４は、例えば、前記搬送手段の従動ローラ６ｂと対向する。この時、支持ローラ３４上に記録媒体Ｃが載置されていない場合には、トーションバネ４０の付勢力によってシャフト３６がスリット３８の上端に当て付くことにより、上方へ向かうシャフト３６のそれ以上の移動が規制され、支持体４２と支持ローラ３４との間に記録媒体１枚分の厚さ以下の空間が形成される（したがって、前記離脱位置で、記録媒体Ｃを収納ケース３０に収納すると、支持ローラ３４と支持体４２との間で記録媒体を確実に挟持できる）。また、この空間は、搬送ベルト４による搬送経路中に位置され、搬送ベルト４によって搬送されてくる記録媒体Ｃを受け入れることができる。一方、支持ローラ３４上に記録媒体Ｃが載置されている場合には、記録媒体Ｃは、支持ローラ３４から受けるトーションバネ４０の付勢力により、前記搬送手段の搬送ベルト４に対して押圧される。この時、支持ローラ３４上に載置される記録媒体Ｃのうち、一番上に位置する記録媒体Ｃのみが搬送経路中に位置され（図３の（ａ）参照）て搬送ベルト４による収納ケース３０からの搬出が可能となる。また、支持ローラ３４上に載置された２番目以下の記録媒体Ｃは、搬出入口１０に向けて対面する収納ケース３０の前面（規制部）３０ｂに当接され、収納ケース３０からの吐き出しが阻止された状態にある。
【００３０】
また、本体ケース２には、スタッカ３内に収納された記録媒体Ｃをトーションバネ４０の付勢力に抗して押し下げて、スタッカ３内に収納された一番上の記録媒体Ｃと搬送ベルト４とを離間させる（一番上の記録媒体Ｃと搬送ベルト４との接触状態を解除する）一対のカム（押し込み手段）５３が設けられている。これらのカム５３（記録媒体に対するカム５３の作用点）は、スタッカ３の長手方向中央よりも搬出入口１０側に配置されており、本体ケース２の幅方向に延びる回転シャフト５２に固定されている。回転シャフト５２は本体ケース２に回転可能に支持されており、回転シャフト５２の一端は、互いに噛み合う複数の歯車から成るギヤ列５０を介して、カム駆動用モータＭ２の回転軸に結合されている。
【００３１】
したがって、このような構成では、カム駆動用モータＭ２を駆動させると、カム駆動用モータＭ２の回転軸が回転し、その回転力は、ギヤ列５０を介して回転シャフト５２に伝達され、カム５３を回転させる。
【００３２】
なお、カム５３は、所定の回転位置で記録媒体Ｃを押し下げることができるカム面５３ａを有しており、このカム面５３ａの回転位置をカム角センサ５１によって検出することにより、カム駆動用モータＭ２を介したカム５３による記録媒体Ｃの押し下げ動作が制御されるようになっている。特に、本実施形態において、カム角センサ５１は、カム５３と同一の形態で回転シャフト５２に固定された検知用のダミーカム５３Ａのカム形状を例えば光学的に捕らえることにより、カム面５３ａの回転位置を検出するとともに、カム駆動用モータＭ２は、カム角センサ５１からの検知結果に応じて駆動が制御され、カム面５３ａが記録媒体Ｃに接触する記録媒体押し下げ位置（図３の（ｂ）に示される位置）とカム面５３ａが記録媒体Ｃから離間する記録媒体解放位置（図３の（ａ）（ｃ）に示される位置）との間でカム５３を例えば１８０°の角度間隔で回転駆動させる。
【００３３】
なお、後述するが、前記記録媒体押し下げ位置（カム作動位置）では、スタッカ３の収納ケース３０内に収納される記録媒体Ｃ（一番上の記録媒体Ｃ）が搬送ベルト４と接触しないため、搬送ベルト４によって記録媒体Ｃを排出することはできないが、更に他の記録媒体Ｃを１枚受け入れ可能な空間が、搬送ベルト４と一番上の記録媒体Ｃとの間に形成される。一方、前記記録媒体解放位置（カム非作動位置）では、収納ケース３０内に収納された一番上の記録媒体Ｃが搬送ベルト４と接触するため、一番上の記録媒体Ｃを搬送ベルト４によって搬送することができる。
また、本実施形態において、モータＭ１，Ｍ２の駆動は、各種センサＳ１，Ｓ２，Ｓ３，５１の検知結果に基づき、本体ケース２に内蔵された図示しない制御部または外部装置からの制御信号によって制御される。
【００３４】
次に、図３を参照しながら、上記構成の記録媒体取扱装置１の動作について説明する。
【００３５】
まず、記録媒体取扱装置１内に記録媒体Ｃを受け入れる場合について説明する。この場合には、搬出入口１０を通じて挿入される記録媒体Ｃが第１のセンサＳ１によって検知される。本実施形態においては、搬出入口１０を通じて記録媒体Ｃが挿入されると、例えば第１のセンサＳ１がＯＮされる。第１のセンサＳ１がＯＮされると、搬送用モータＭ１が駆動され、搬出入口１０を通じて挿入された記録媒体Ｃが搬送ベルト４によって本体ケース２内へと搬送される。
【００３６】
また、第１のセンサＳ１がＯＮされると、カム駆動用モータＭ２が駆動され、カム５３は、例えば図３の（ａ）に示される記録媒体解放位置から、そのカム面５３ａが記録媒体Ｃと接触する記録媒体押し下げ位置（図３の（ｂ）に示される位置）へと１８０°回転される。カム５３がこの記録媒体押し下げ位置まで回転されると、カム駆動用モータＭ２が停止されるとともに、カム５３が搬送ベルト４による搬送経路中に突出する。この時、収納ケース３０内に記録媒体Ｃが既に収納されている場合には、収納ケース３０内に収納される記録媒体Ｃがカム５３によって押し下げられ、一番上の記録媒体Ｃが搬送ベルト４から離間される。これにより、搬送ベルト４と一番上の記録媒体Ｃとの間に、搬出入口１０を通じて挿入される１枚の記録媒体Ｃを受け入れ可能な空間Ｓ’が形成される。この場合、記録媒体Ｃに対するカム５３の作用点がスタッカ３の長手方向中央よりも搬出入口１０側に位置しているため、収納ケース３０内で積層された記録媒体Ｃは、搬出入口１０に向かって下方に傾斜した状態となる。一方、収納ケース３０内に記録媒体Ｃが収納されていない場合には、カム５３が記録媒体押し下げ位置まで回転したとしても、カム５３のカム面５３ａによる押し下げ作用は機能しないが、前述したシャフト３６とスリット３８との当接により、搬送ベルト４と支持ローラ３４との間に記録媒体Ｃを１枚受け入れ可能な空間が形成される。
【００３７】
以上の状態で、搬送ベルト４が更に駆動し続けると、搬出入口１０を通じて挿入された記録媒体Ｃは、その搬送方向先端部が空間Ｓ１内に進入し、収納ケース３０内の記録媒体Ｃと一部重なり合う（図３の（ｂ）の状態）。この状態に達すると、第１のセンサＳ１がＯＦＦされるとともに、第２のセンサＳ２がＯＮされ、搬送用モータＭ１が停止される。そして、この位置で、リーダライタ１４による記録媒体Ｃの読み書きが行なわれる。
【００３８】
リーダライタ１４による記録媒体Ｃの読み書きが完了した後、記録媒体Ｃを本体ケース２の外部に吐き出す場合には、搬送用モータＭ１を逆回転させ、搬出入口１０を通じて記録媒体Ｃを搬出する。一方、記録媒体Ｃを収納ケース３０内に収納する場合には、カム駆動用モータＭ２を再度駆動させ、カム５３を図３の（ｂ）に示される記録媒体押し下げ位置から図３の（ｃ）に示される記録媒体解放位置へと１８０°回転させて搬送経路から退避させる。その状態で、今度は、搬送用モータＭ１を正回転させ、記録媒体Ｃを収納ケース３０内に完全に引き込む。この時、支持ローラ３４または既に収納ケース３０内に収納されている記録媒体Ｃは、搬送ベルト４と摩擦接触して搬送される記録媒体Ｃをガイドする。そして、記録媒体Ｃが収納ケース３０内に完全に収納されて第２のセンサＳ２がＯＦＦされると、所定時間（例えば０．５秒）経過後に、搬送用モータＭ１が停止される。
【００３９】
次に、スタッカ３内に収容された記録媒体Ｃを記録媒体取扱装置１から吐き出す場合について説明する。この場合には、まず、第３のセンサＳ３によって収納ケース３０内における記録媒体Ｃの有無が確認される。収納ケース３０内に記録媒体Ｃが存在することが確認されると、カム５３が記録媒体解放位置に位置されている状態（図３の（ａ）（ｃ）の状態）で、すなわち、収納ケース３０内の一番上の記録媒体Ｃが搬送ベルト４と接触している状態で、搬送用モータＭ１が逆回転される。これにより、収納ケース３０内の一番上の記録媒体Ｃが搬送ベルト４により搬出入口１０に向けて搬送される。そして、この搬送される記録媒体Ｃがリーダライタ１４による読み書き位置に達すると、例えば第１のセンサＳ１がＯＮされ、搬送用モータＭ１が停止される。また、この時、カム駆動用モータＭ２を駆動させることにより、カム５３を記録媒体押し下げ位置（図３の（ｂ）に示される位置）へと回転させ、収納ケース３０内に収納されている２番目以下の記録媒体Ｃを収納ケース３０の前面３０ｂに係止させておく。これは、収納ケース３０内の一番上の記録媒体Ｃが搬送ベルト４によって搬送される際に、これに伴って２番目以下の記録媒体Ｃも収納ケース３０から搬出されることを防ぐためである。本実施形態では、記録媒体Ｃに対するカム５３の作用点がスタッカ３の長手方向中央よりも搬出入口１０側に位置しているため、カム５３による押し下げ動作時に、積層された記録媒体Ｃの搬出入口１０側が斜めに押し下げられることとなり、２番目以下の記録媒体Ｃを確実に前面３０ｂに係止させることができる。
【００４０】
以上の状態で、リーダライタ１４による記録媒体Ｃの読み書きが完了すると、搬送用モータＭ１が更に逆回転され、搬出入口１０を通じて記録媒体Ｃが搬出される。そして、第１のセンサＳ１がＯＦＦすると、吐き出し完了とし、搬送用モータＭ１が停止される。なお、記録媒体Ｃが吐き出されてから５秒経過しても第１のセンサＳ１がＯＦＦしない場合には、搬送用モータＭ１が強制的に停止される。
【００４１】
以上説明したように、本実施形態の記録媒体取扱装置１は、所定の情報が記録される記録媒体Ｃが搬出入される搬出入口１０と、複数の記録媒体Ｃを積層状態で収納可能な収納部としてのスタッカ３と、スタッカ３と搬出入口１０との間で記録媒体Ｃを往復搬送する搬送ベルト４とを備えるとともに、スタッカ３内に収納された記録媒体Ｃを、スタッカ３内で、搬送ベルト４による搬送経路に対して突没させることにより、搬送ベルト４によって搬送される記録媒体Ｃを１枚ずつスタッカ３に積層収納するとともに、スタッカ３に収納された記録媒体Ｃを搬送ベルト４によって１枚ずつスタッカ３から繰り出させる個別収納・繰り出し手段として、カム５３およびトーションバネ４０とを備えている。
【００４２】
このように、スタッカ３内に収納された記録媒体Ｃをスタッカ３内で搬送ベルト４による搬送経路に対して突没させるだけで、記録媒体Ｃをスタッカ３に複数収納することができ且つスタッカ３から記録媒体Ｃを１枚ずつ繰り出すことができれば、簡単且つコンパクトな構成で、記録媒体Ｃの収納機能および排出機能を兼ね備えることができ、記録媒体Ｃの再利用を簡単に行なうことができる。
【００４３】
特に、本実施形態では、スタッカ３内に収納された記録媒体Ｃをトーションバネ４０によって常時付勢して搬送ベルト４に対して押圧するとともに、カム５３によって、スタッカ３内に収納された記録媒体Ｃをトーションバネ４０による付勢力（押圧力）に抗してスタッカ３内に押し込んで、スタッカ３内に収納された記録媒体Ｃを搬送ベルト４から離間させるようにしているため、記録媒体Ｃをスタッカ３内に押し込む１方向の動作だけで、スタッカ３に対する記録媒体Ｃの収納・排出を行なうことができる。したがって、構成を更にコンパクトにすることができるとともに、記録媒体の収納・排出を効率的に行なうことが可能になる。
【００４４】
また、本実施形態において、スタッカ３は、記録媒体Ｃが繰り出される側に位置する端部に、搬送ベルト４によってスタッカ３から繰り出される記録媒体Ｃ以外の記録媒体Ｃの繰り出しを規制する規制部としての前面３０ｂを備えている。したがって、スタッカ３から排出すべき１枚目の記録媒体Ｃのみが搬送ベルト４によって搬送され、それ以外の記録媒体Ｃの搬送が前面３０ｂによって阻止されるため、１枚目の記録媒体Ｃとともに２枚目以降の記録媒体Ｃが誤ってスタッカ３から繰り出されることが防止される。すなわち、記録媒体Ｃをスタッカ３から確実に１枚ずつ繰り出すことができる。
【００４５】
また、本実施形態において、カム５３は、搬送ベルト４による搬送方向におけるスタッカ３の中央よりも搬出入口１０側に位置する作用点で、記録媒体Ｃに対して押し込み力を作用させる。したがって、カム５３による押し込み時に、スタッカ３内にある記録媒体Ｃの搬出入口側の部位が他の部位に比べて大きく押し込まれるため、前面３０ｂによる記録媒体Ｃの繰り出し規制を確実ならしめることができる。
【００４６】
また、本実施形態の記録媒体取扱装置１は、搬送ベルト４による搬送経路中で記録媒体Ｃに対する情報の読み書きを行なうリーダライタ１４を更に備えている。したがって、記録媒体Ｃの収納・排出だけでなく、記録媒体Ｃに対する情報の読み書きをも行なうことがきる。また、リーダライタ１４が搬送ベルト４による搬送経路中に設けられているため、コンパクトな構造で、記録媒体読み書き部と記録媒体収納部とを一体化させることができる。
【００４７】
また、本実施形態の記録媒体取扱装置１では、搬送ベルト４による搬送経路が一直線に延びているため、搬送される記録媒体Ｃに撓みが発生しない。そのため、記録媒体Ｃに内蔵されたＩＣチップ等の電子素子を損傷させないで済む。
【００４８】
なお、本実施形態においては、カム５３が記録媒体Ｃに対して直接に接触しているように示されているが、カム５３が記録媒体Ｃ上を摺動せず且つカム５３によって記録媒体Ｃを傷付けないためにも、カム５３と記録媒体Ｃとの間に別個の緩衝部材を介在させることが好ましい。その場合の一形態が図４に示されている。この形態では、断面がコの字型の緩衝部材９０が、カム５３と記録媒体Ｃとの間に介在している。緩衝部材９０は、記録媒体Ｃと接触する滑らかな接触面を有しており、本体ケース２に突設されたシャフト９２に移動可能に取り付けられるとともに、シャフト９２に沿って移動して、本体ケース２に形成された開口９９から搬送ベルト４による搬送経路Ｐに対して突没することができる。この場合、シャフト９２には、本体ケース２と緩衝部材９０との間に介挿されるバネ９４が巻装されており、緩衝部材９０は、バネ９４の付勢力に抗してカム５３のカム面５３ａにより押圧されることにより、搬送経路Ｐ中に突出することができる。なお、図４の（ａ）は、カム５３の作動によって緩衝部材９０が搬送経路Ｐ中に突出した状態を示し、図４の（ｂ）は、カム５３による押圧力が解除されて緩衝部材９０が搬送経路Ｐから退避した状態を示している。
【００４９】
図５には、本実施形態の記録媒体取扱装置１を組み込んだ球貸装置７０が示されている。この球貸装置７０は、遊技場等においてパチンコ機の台間に設置されるもので、筐体７２の正面上部に紙幣挿入口７４が設けられ、筐体７２の正面下部に記録媒体取扱装置１の搬出入口１０が設けられる。本実施形態の記録媒体取扱装置１は非常にコンパクトであるため、前述した作用効果を奏しつつ、パチンコ機の台間に設置される球貸装置７０に簡単に組み込むことができる。
【００５０】
なお、本発明は、前述した実施形態に限定されず、その要旨を逸脱することなく、種々変形実施できることは言うまでもない。例えば、前述した実施形態においては、押し込み手段としてカム５３が使用され、カム５３を駆動させる手段としてモータが使用されているが、カム５３の代わりにリンクを使用し、モータの代わりにソレノイドを使用しても良い。また、前述した実施形態では、カム５３が記録媒体Ｃを直接に押し下げているが、搬送ベルト４による搬送経路が水平に位置される状態で記録媒体取扱装置１が使用される場合には、カム５３によって支持ローラ３４を下方に押し下げるようにすれば、記録媒体Ｃがその自重で搬送ベルト４から離れるため、カム５３によって記録媒体Ｃを直接に押し下げる必要がなくなる。
【００５１】
【発明の効果】
以上説明したように、本発明の記録媒体取扱装置によれば、簡単且つコンパクトな構成で、記録媒体の収納機能および排出機能を兼ね備えることができ、記録媒体の再利用を簡単に行なうことができる。
【図面の簡単な説明】
【図１】本発明の一実施形態に係る記録媒体取扱装置の概略構成を示す斜視図である。
【図２】（ａ）は図１の記録媒体取扱装置の平面図、（ｂ）は図１の記録媒体取扱装置の側面図である。
【図３】図１の記録媒体取扱装置の作動態様を段階的に示す模式図である。
【図４】（ａ）は、カムの作動によって緩衝部材が搬送経路中に突出した状態を示し、（ｂ）は、カムによる押圧力が解除されて緩衝部材が搬送経路から退避した状態を示している。
【図５】図１の記録媒体取扱装置をパチンコ機の球貸装置に適用した斜視図である。
【符号の説明】
１  記録媒体取扱装置
３  スタッカ（収納部）
４  搬送ベルト（搬送手段）
１０  搬出入口
３０ｂ  前面（規制部）
４０  トーションバネ（押圧手段；個別収納・繰り出し手段）
５３  カム（押し込み手段；個別収納・繰り出し手段）
Ｃ  記録媒体
【図１】
2004355407.tif 000003
【図２】
2004355407.tif 000004
【図３】
2004355407.tif 000005
【図４】
2004355407.tif 000006
【図５】
2004355407.tif 000007